(57)【要約】【課題】  顧客が簡単に個別仕様の紙箱を注文でき、納期が短く、費用も低額となり、小ロットでの注文や、仕様の変更が容易となる紙箱の注文及び製造管理方法の提供を目的とする。【解決手段】  （ａ）紙箱の形状と、紙箱の規格と、紙箱の印刷情報とを提示するステップと、（ｂ）個別要素の情報を受け付けるステップと、（ｃ）紙箱の仕上がり状態を提示するステップと、（ｄ）注文を、顧客から受け付けるステップと、（ｅ）複数の注文を蓄積するステップと、（ｆ）規格に関する情報が共通する第１注文群を抽出するステップと、（ｇ）第１注文群について一括してブランクを作成できる紙寸法の指示と、一括して印刷できる印刷版の製版の指示とを出すステップと、（ｈ）第１注文群について、一括して印刷の指示を出すステップと、（ｉ）第１注文群について、一括してブランクの作成の指示を出すステップと、を含む紙箱の注文及び製造管理方法とする。【選択図】図７
2010191837.tif 000002
【特許請求の範囲】
【請求項１】
紙箱の注文及び製造管理方法であって、
（ａ）紙箱の形状に関する複数の情報と、紙箱の規格に関する複数の情報と、紙箱の印刷に関する複数の情報とを顧客に提示するステップと、
（ｂ）顧客から個別要素に関する情報を受け付けるステップと、
（ｃ）顧客の選択した前記紙箱の形状に関する情報と、紙箱の規格に関する複数の情報と、顧客の選択した前記紙箱の印刷に関する情報と、顧客からの個別要素に関する情報とから、紙箱の仕上がり状態を顧客に提示するステップと、
（ｄ）顧客の選択した前記紙箱の形状に関する情報と、紙箱の規格に関する複数の情報と、顧客の選択した前記紙箱の印刷に関する情報と、顧客からの個別要素に関する情報とを含む注文を、顧客から受け付けるステップと、
（ｅ）前記（ａ）ステップから前記（ｄ）ステップを繰り返し行うことにより、複数の前記注文を蓄積するステップと、
（ｆ）前記蓄積された複数の注文から、前記紙箱の規格に関する情報が共通する第１注文群を抽出するステップと、
（ｇ）前記第１注文群について一括してブランクを作成できる紙寸法の指示と、一括して印刷できる印刷版の製版の指示とを出すステップと、
（ｈ）前記第１注文群について、一括して印刷の指示を出すステップと、
（ｉ）前記第１注文群について、一括してブランクの作成の指示を出すステップと、
を含むことを特徴とする紙箱の注文及び製造管理方法。
【請求項２】
前記（ｆ）ステップにおいて、前記第１注文群から、更に、前記形状に関する情報が共通する第２注文群を抽出するステップを含み、
前記（ｇ）ステップにおいて、前記第２注文群について一括してブランクを作成できる紙寸法の指示と、一括して印刷できる印刷版の製版の指示とを出し、
前記（ｈ）ステップにおいて、前記第２注文群について、一括して印刷の指示を出し、
前記（ｉ）ステップにおいて、前記第２注文群について、一括してブランクの作成の指示を出す、
ことを特徴とする請求項１に記載の紙箱の注文及び製造管理方法。
【請求項３】
前記（ａ）ステップにおいて、前記紙箱の印刷に関する情報は、色彩に関する情報を含み、
前記（ｆ）ステップにおいて、前記第２注文群から、更に、前記色彩に関する情報が共通する第３注文群を抽出するステップを含み、
前記（ｇ）ステップにおいて、前記第３注文群について一括してブランクを作成できる紙寸法の指示と、一括して印刷できる印刷版の製版の指示とを出し、
前記（ｈ）ステップにおいて、前記第３注文群について、一括して印刷の指示を出し、
前記（ｉ）ステップにおいて、前記第３注文群について、一括してブランクの作成の指示を出す、
ことを特徴とする請求項２に記載の紙箱の注文及び製造管理方法。
【請求項４】
前記（ｉ）ステップにおいて、前記ブランクの作成の指示が出された注文群に対して、一括してブランクの製函の指示を出すステップを更に含むことを特徴とする請求項１から３のいずれか１項に記載の紙箱の注文及び製造管理方法。
【請求項５】
前記（ａ）ステップにおいて、前記紙箱の形状に関する情報は、在庫生産される既製の紙箱の形状に関する情報と共通する情報であり、
前記（ｉ）ステップにおいて、前記ブランクの作成の指示と、前記在庫生産される既製の紙箱のブランクの作成の指示とが一括して指示される、
ことを特徴とする請求項項１から４のいずれか１項に記載の紙箱の注文及び製造管理方法。
【請求項６】
前記（ａ）ステップにおいて、前記紙箱の形状に関する情報は、在庫生産される既製の紙箱の形状に関する情報と共通する情報であり、
前記（ｉ）ステップにおいて、前記ブランクの製函の指示と、前記在庫生産される既製の紙箱のブランクの製函の指示とが一括して指示される、
ことを特徴とする請求項項４又は５のいずれか１項に記載の紙箱の注文及び製造管理方法。
【発明の詳細な説明】
【技術分野】
【０００１】
本発明は、別注品の紙箱の注文及び製造管理方法に関する。
【背景技術】
【０００２】
例えば、洋菓子店等においては、ケーキ等を収容して持ち帰るための紙箱が用いられている。紙箱は、ケーキ等を収容して持ち帰るという機能だけでなく、デザイン等で他店との差別化を図るという機能も重視されている。紙箱には、既製品と別注品とがある。既製品の紙箱は、形状、絵柄ともに一般的な仕様しか用意されていないため、他店との差別化を図るという機能は必ずしも十分でない。これに対して、別注品の紙箱は、形状、絵柄ともに個別仕様とすることができ、他店との差別化を図るという機能に優れている。別注品は、店舗ロゴ等を付加するだけでなく、形状は、手提げ部の有無や寸法等を含めて多種多様な仕様を選択でき、絵柄も、その洋菓子店等のイメージや、クリスマス等のイベント、季節に合わせた個別仕様とすることができる。
【０００３】
しかしながら、別注品の紙箱は、納期が長く、費用も高額になるという問題がある。その原因として、紙箱の仕様を決定して注文するまでの段階と製造の段階において、それぞれ手間と時間を要するという点が挙げられる。紙箱の仕様を決定して注文するまでの段階においては、デザイナーとの打ち合わせや、紙箱の仕上がりの確認等に複数回のやり取りが必要であり、デザイン料も必要である。また、製造の段階においては、新たな絵柄等を印刷するための印刷版の製版作業、印刷作業における印刷機のインクの交換や色換えの度のインク壺洗浄、印刷版の交換等が必要であり、ブランクの作成作業においては、打ち抜きのための木型の作成、木型の交換、落丁、打ち抜き機のセットアップ作業等が必要であり、製函作業においては、糊貼り機のセッティングや交換作業等が必要である。そして、これらの作業は、個別仕様の紙箱の注文毎に新たに行う必要がある。
【０００４】
このように、別注品の紙箱は、納期が長く、費用も高額になるため、顧客が別注品の紙箱を採用することは容易ではなかった。また、イベントや季節に合わせて紙箱の仕様の変更を行う場合、新たにデザイン料等の費用が発生することや、仕様変更した紙箱は比較的短期間で使用できなくなるため、デットストックの危険があり、紙箱の仕様の変更には困難が伴っていた。また、小規模店の注文は、どうしても小ロットでの注文となるため、別注品の紙箱の採用や、紙箱の仕様の変更は極めて困難であった。
【０００５】
一方、既製品の紙箱に店舗ロゴ等を追加する技術として、既製品に店舗ロゴ等を箔押しする技術が知られている。しかしながら、箔押しは、デザイン上の制限があり、紙箱の箔押しだけで他店との差別化を図ることは困難である。また、特許文献１には、個別仕様の紙製品の発注方法が開示されている。この紙製品の発注方法では、紙製品の表面に付される個別要素を画面上で入力し、画面上に表示される紙製品を確認して発注する。この技術では、菓子折りなどの表面に個別要素を付することができるものの、菓子折り等の形状や絵柄まで変更することはできない。
【先行技術文献】
【特許文献】
【０００６】
【特許文献１】特開２００２−５６２３８号公報
【発明の概要】
【発明が解決しようとする課題】
【０００７】
本発明は、上記課題を解決すべくなされたものであり、顧客が簡単に個別仕様の紙箱を注文でき、納期が短く、費用も低額となり、小ロットでの注文や、仕様の変更が容易となる紙箱の注文及び製造管理方法の提供を目的とする。
【課題を解決するための手段】
【０００８】
本発明の解決しようとする課題は以上の如くであり、次にこの課題を解決するための手段を説明する。
【０００９】
即ち、第１の発明は、紙箱の注文及び製造管理方法であって、
（ａ）紙箱の形状に関する複数の情報と、紙箱の規格に関する複数の情報と、紙箱の印刷に関する複数の情報とを顧客に提示するステップと、
（ｂ）顧客から個別要素に関する情報を受け付けるステップと、
（ｃ）顧客の選択した前記紙箱の形状に関する情報と、紙箱の規格に関する複数の情報と、顧客の選択した前記紙箱の印刷に関する情報と、顧客からの個別要素に関する情報とから、紙箱の仕上がり状態を顧客に提示するステップと、
（ｄ）顧客の選択した前記紙箱の形状に関する情報と、紙箱の規格に関する複数の情報と、顧客の選択した前記紙箱の印刷に関する情報と、顧客からの個別要素に関する情報とを含む注文を、顧客から受け付けるステップと、
（ｅ）前記（ａ）ステップから前記（ｄ）ステップを繰り返し行うことにより、複数の前記注文を蓄積するステップと、
（ｆ）前記蓄積された複数の注文から、前記紙箱の規格に関する情報が共通する第１注文群を抽出するステップと、
（ｇ）前記第１注文群について一括してブランクを作成できる紙寸法の指示と、一括して印刷できる印刷版の製版の指示とを出すステップと、
（ｈ）前記第１注文群について、一括して印刷の指示を出すステップと、
（ｉ）前記第１注文群について、一括してブランクの作成の指示を出すステップと、
を含むことを特徴とする紙箱の注文及び製造管理方法とする。
【００１０】
第２の発明は、第１の発明において、
前記（ｆ）ステップにおいて、前記第１注文群から、更に、前記形状に関する情報が共通する第２注文群を抽出するステップを含み、
前記（ｇ）ステップにおいて、前記第２注文群について一括してブランクを作成できる紙寸法の指示と、一括して印刷できる印刷版の製版の指示とを出し、
前記（ｈ）ステップにおいて、前記第２注文群について、一括して印刷の指示を出し、
前記（ｉ）ステップにおいて、前記第２注文群について、一括してブランクの作成の指示を出す、
ことを特徴とする紙箱の注文及び製造管理方法とする。
【００１１】
第３の発明は、第２の発明において、
前記（ａ）ステップにおいて、前記紙箱の印刷に関する情報は、色彩に関する情報を含み、
前記（ｆ）ステップにおいて、前記第２注文群から、更に、前記色彩に関する情報が共通する第３注文群を抽出するステップを含み、
前記（ｇ）ステップにおいて、前記第３注文群について一括してブランクを作成できる紙寸法の指示と、一括して印刷できる印刷版の製版の指示とを出し、
前記（ｈ）ステップにおいて、前記第３注文群について、一括して印刷の指示を出し、
前記（ｉ）ステップにおいて、前記第３注文群について、一括してブランクの作成の指示を出す、
ことを特徴とする紙箱の注文及び製造管理方法とする。
【００１２】
第４の発明は、第１から第３の発明において、
前記（ｉ）ステップにおいて、前記ブランクの作成の指示が出された注文群に対して、一括してブランクの製函の指示を出すステップを更に含むことを特徴とする紙箱の注文及び製造管理方法とする。
【００１３】
第５の発明は、第１から第４の発明において、
前記（ａ）ステップにおいて、前記紙箱の形状に関する情報は、在庫生産される既製の紙箱の形状に関する情報と共通する情報であり、
前記（ｉ）ステップにおいて、前記ブランクの作成の指示と、前記在庫生産される既製の紙箱のブランクの作成の指示とが一括して指示される、
ことを特徴とする紙箱の注文及び製造管理方法とする。
【００１４】
第６の発明は、第４又は第５の発明において、
前記（ａ）ステップにおいて、前記紙箱の形状に関する情報は、在庫生産される既製の紙箱の形状に関する情報と共通する情報であり、
前記（ｉ）ステップにおいて、前記ブランクの製函の指示と、前記在庫生産される既製の紙箱のブランクの製函の指示とが一括して指示される、
ことを特徴とする紙箱の注文及び製造管理方法とする。
【発明の効果】
【００１５】
本発明の効果として、以下に示すような効果を奏する。
【００１６】
第１の発明によれば、顧客は、提示された紙箱の形状に関する情報と、提示された紙箱の規格に関する複数の情報と、提示された紙箱の印刷に関する情報、例えば、絵柄、色彩等を自由に組み合わせて選択し、これに個別要素に関する情報、例えば、店舗のロゴ等を組み合わせればよいため、顧客は個別仕様の紙箱を簡単に注文することができる。
また、顧客の選択した紙箱の形状に関する情報と、顧客の選択した紙箱の規格に関する複数の情報と、顧客の選択した紙箱の印刷に関する情報と、顧客からの個別要素に関する情報とから、紙箱の仕上がり状態を顧客に提示するため、顧客は紙箱の仕上がりを容易に確認でき、デザイナーとのやり取りに要する時間を短縮できる。このため紙箱の仕様を決定して注文するまでの時間を短縮できるとともに、諸経費や人件費等の費用を低減することができる。
また、複数の注文を蓄積した上で、紙箱の規格に関する情報に基づいて第１注文群を抽出して、第１注文群について一括してブランクを作成できる紙寸法の指示と、一括して印刷できる印刷版の製版の指示とを出し、第１注文群について一括して印刷の指示と、ブランクの作成の指示を出すため、複数の注文毎に行っていた作業を一括して行うことができる。このため、注文毎に仕様の異なる別注品の紙箱であっても製造効率が向上し、製造に要する時間と費用を低減することができる。また、顧客が注文毎に仕様の変更を行ったり、小ロットでの注文を行っても、納期と費用はほとんど変動しない。
以上のように、顧客が簡単に個別仕様の紙箱を注文でき、納期が短く、費用も低額となるため、顧客は、別注品の紙箱を採用しやすくなる。また、小ロットでの注文が容易で、イベントや季節に合わせて紙箱の仕様の変更も容易であるため、紙箱のデットストックのリスクを低減でき、小規模な顧客であっても別注品の紙箱を採用しやすくなる。
【００１７】
第２の発明によれば、規格に関する情報と、形状に関する情報が共通する第２注文群について、一括してブランクを作成できる紙寸法の指示と、一括して印刷できる印刷版の製版の指示とを出すため、共通する紙、及び、印刷版を用いて印刷することができる。また、第２注文群について、一括して印刷の指示を出し、一括してブランクの作成の指示を出すため、印刷版の共通化、印刷版の交換作業の低減を図ることができる。このため、注文毎に仕様の異なる別注品の紙箱であっても製造効率が向上し、製造に要する時間と費用を低減することができる。
【００１８】
第３の発明によれば、規格に関する情報と、形状に関する情報と、色彩に関する情報が共通する第３注文群について、一括してブランクを作成できる紙寸法の指示と、一括して印刷できる印刷版の製版の指示とを出すため、共通する紙、及び、印刷版を用いて印刷することができる。また、第３注文群について、一括して印刷の指示を出し、一括してブランクの作成の指示を出すため、印刷機６１のインクユニットの共通化、印刷版の共通化、印刷版の交換作業の低減を図ることができる。このため、注文毎に仕様の異なる別注品の紙箱であっても製造効率が向上し、製造に要する時間と費用を低減することができる。
【００１９】
第４の発明によれば、一括してブランクの製函の指示を出すため、複数の注文毎に行っていたブランクの製函作業を一括して行うことができる。このため、注文毎に仕様の異なる別注品の紙箱であっても製造効率が向上し、製造に要する時間と費用を低減することができる。
【００２０】
第５の発明によれば、ブランクを作成する木型は、既製品の紙箱に使用される木型と共通化することができる。このため、木型を新たに作成する必要がなく、既製品と同じ木型を用いてブランクを作成することができるため、コストダウンを図ることができる。また、別注品の紙箱と既製品の紙箱を同時に製造できるため、コストダウンを図ることができる。
【００２１】
第６の発明によれば、ブランクを製函する糊貼り機のセッティングは、既製品の紙箱を製函する糊貼り機のセッティングと共通化することができる。このため、別注品の紙箱と既製品の紙箱を同時に製函することで、コストダウンを図ることができる。
【図面の簡単な説明】
【００２２】
【図１】別注品の紙箱の注文及び製造の概要を示す図。
【図２】５色刷り用の印刷機６１の簡略図。
【図３】別注品の紙箱の注文及び製造の概要を示す図。
【図４】注文管理サーバ２１のハードウェア構成を示すブロック図。
【図５】製造管理サーバ３１のハードウェア構成を示すブロック図。
【図６】注文管理システムの動作を示すフローチャート。
【図７】製造管理システムの動作を示すフローチャート。
【図８】概要説明画面。
【図９】形状・規格・数量選択画面。
【図１０】デザインモデル選択画面。
【図１１】カラー選択画面。
【図１２】名入れ入力画面。
【図１３】店舗ロゴ挿入選択画面。
【図１４】店舗ロゴ取り込み画面。
【図１５】紙箱仕上がり状態確認画面。
【図１６】注文データの一例を示す図。
【図１７】注文群を注出した結果の一例を示す図。
【図１８】注文群を注出した結果の一例を示す図。
【図１９】注文群を注出した結果の一例を示す図。
【発明を実施するための形態】
【００２３】
本発明の実施の形態に係る紙箱の注文及び製造管理方法を図面に沿って説明する。本実施の形態は、コンピュータを用いた紙箱の注文及び製造管理システムによる、紙箱の注文及び製造管理方法である。注文及び製造管理システムは、顧客４１が紙箱の個別仕様を決定して発注するまでを支援する注文管理システムと、紙箱メーカー１１において紙箱の製造を管理する製造管理システムとを備えている。
【００２４】
図１は、別注品の紙箱の注文及び製造の概要を示す図である。紙箱メーカー１１には、注文管理サーバ２１と製造管理サーバ３１とが設けられている。注文管理サーバ２１は、個別仕様の紙箱の注文を受け付けるためのホームページ（Ｗｅｂページ）を公開しており、顧客４１によって別注品の紙箱のデザインから発注まで、行えるように設定されている。また、製造管理サーバ３１は、顧客４１からの注文に基づいて、紙箱を製造するための指示を製造部門に出すように設定されている。注文管理サーバ２１と製造管理サーバ３１は、互いに通信が可能となるように接続されている。各顧客４１は、端末装置としてのパソコン４２をインターネット５１を介して紙箱メーカー１１にアクセスできる。紙箱メーカー１１は、複数の顧客４１から個別仕様の紙箱の注文をインターネット５１を通じて受け付ける。紙箱メーカー１１は、注文に基づいて別注品の紙箱を製造し、各顧客４１に配送する。
【００２５】
次に、紙箱の製造設備と製造工程について簡単に説明する。製造部門には、印刷版を製版するための刷版機、印刷機、紙を打ち抜いてブランクを作成する打ち抜き機、作成されたブランクに糊貼りを行って製函を行う糊貼り機等が備えられている。図２は、５色刷り用の印刷機６１の簡略図である。
【００２６】
図３は、紙箱の製造工程を示すフローチャートである。紙箱の形状に関する情報（手提げ部の有無等）と、紙箱の規格に関する情報（寸法等）と、印刷に関する情報（絵柄、カラー等）と、個別要素（名入れ、店舗ロゴ等）に関する情報が注文７１によって与えられると（Ｓ１１）、紙寸法の決定と印刷版の製版が行われる（Ｓ１２）。紙寸法の決定は、紙箱を展開したブランクを最も無駄なく割り付けることのできる寸法の紙が選択される。例えば、小型の紙箱の場合であれば、１枚の紙から複数のブランクが無駄なく割り付けられ、作成できる寸法の紙が選択される。また、同じ規格の紙箱であれば、形状が異なっていても同一又は近似する寸法であるため、同じ紙に異なる形状のブランクを割り付けることもできる。
【００２７】
印刷版の製版は、まず、紙寸法と同じ寸法の印刷版が選択され、続いて、印刷に関する情報（絵柄、カラー等）と、個別要素（名入れ、店舗ロゴ等）に関する情報に基づいて作成されたＤＴＰ（Ｄｅｓｋｔｏｐ  ｐｕｂｌｉｓｈｉｎｇ）データが刷版機に送信される。刷版機はこのＤＴＰデータに基づいて印刷版にレーザーを当てて画像を焼き付け、現像を行って印刷版を作成する。
【００２８】
紙寸法の決定と、印刷版の作成が終了すると、次に紙に絵柄、店舗ロゴ等が印刷される（Ｓ１３）。図１の印刷機６１は、５色刷り用の印刷機６１であり、例えば第１ユニット６２には赤色のインキ、第２ユニット６３にはオレンジ色のインキ、第３ユニット６４には緑色のインキ、第４ユニット６５には青色のインキ、第５ユニット６６には茶色のインキが充填されている。
【００２９】
図１の５色刷り用の印刷機６１を用いて、１色印刷を行う場合、所望の色のユニットに印刷版を装着し、その色以外のインキは出ないようにしておく。例えば、青１色の印刷を行う場合は、第４ユニット６５の青インキのみ出るようにしておき、第４ユニット６５のみに印刷版をセットしておく。こうすることで給紙部から給紙された紙は第１ユニット６２から第５ユニット６６まで全て通過するが、第４ユニット６５の青１色のみが印刷される。また、１枚の紙に色の異なる２つの絵柄を印刷する場合、例えば赤色と青色の絵柄を左右に分けて印刷する場合、第１ユニット６２に赤印刷用の印刷版を装着し、第４ユニット６５に青印刷用の印刷版を装着しておき、赤色、青色のインキのみ出るようにしておく。こうすることで給紙部から給紙された紙は第１ユニット６２から第５ユニット６６まで全て通過するが、第１ユニット６２で赤色の絵柄のみが印刷され、続いて第４ユニット６５で青色の絵柄のみが印刷され、１枚の紙に赤色と青色の絵柄を左右に分けて１工程で印刷することができる。尚、５色刷り用の印刷機６１は例示であり、６色刷り用以上の印刷機、あるいは４色刷り以下の、複数色刷り用の印刷機を用いることができる。
【００３０】
絵柄や店舗ロゴ等が印刷された紙は、打ち抜き機で打ち抜かれてブランクが作成される（Ｓ１４）。打ち抜きのための木型は、紙箱の形状及び規格に合わせて作成され、打ち抜き機に取り付けられる。正確な位置で打ち抜くために打ち抜き機のセットアップ作業も必要となる。
【００３１】
紙からブランクが打ち抜かれ、余分な紙を除去する落丁作業が終了すると、ブランクは、糊貼り機によって製函される（Ｓ１５）。糊貼り機も、ブランクの形状及び規格に合わせてセッティングや交換作業が必要となる。
【００３２】
次に、注文及び製造管理システムを構成する注文管理システムと、製造管理システムについて説明する。図４は、注文管理サーバ２１のハードウェア構成を示すブロック図である。注文管理サーバ２１は、中央演算処理装置（ＣＰＵ）２１１と、リードオンリメモリ（ＲＯＭ）２１２と、ランダムアクセスメモリ（ＲＡＭ）２１３と、ハードディスク（ＨＤ）２１４と、入力装置２１５と、ディスプレイ２１６と、プリンタ２１７と、通信インターフェイス２１８と、注文マスタファイル２１９と、これらを相互に接続して制御信号およびデータ信号を転送するシステムバス２２０とを備える。紙箱の注文管理プログラムが注文管理サーバ２１にインストールされており、この注文管理サーバ２１が紙箱の注文管理システムを構成する。
【００３３】
図５は、製造管理サーバ３１のハードウェア構成を示すブロック図である。製造管理サーバ３１は、中央演算処理装置（ＣＰＵ）３１１と、リードオンリメモリ（ＲＯＭ）３１２と、ランダムアクセスメモリ（ＲＡＭ）３１３と、ハードディスク（ＨＤ）３１４と、入力装置３１５と、ディスプレイ３１６と、プリンタ３１７と、通信インターフェイス３１８と、注文マスタファイル３１９と、これらを相互に接続して制御信号およびデータ信号を転送するシステムバス３２０とを備える。紙箱の製造管理プログラムは製造管理サーバ３１にインストールされており、この製造管理サーバ３１が紙箱の製造管理システムを構成する。
【００３４】
次に、注文管理サーバ２１の動作を説明する。図６は、注文管理システムの動作を示すフローチャートである。注文管理プログラムは、図６のステップＳ１１２〜Ｓ１１９からなる。
【００３５】
まず、注文管理サーバ２１は、個別仕様の紙箱の注文を受け付けるためのホームページ（Ｗｅｂページ）を公開しており（Ｓ１１１）、顧客４１は、端末装置であるパソコン４２により、インターネット５１を介して紙箱メーカー１１のホームページにアクセスする（Ｓ１０１）。顧客４１はホームページを通じて注文管理サーバ２１とやり取りを行いながら、紙箱の仕様や注文する紙箱の数量等の決定を行う。
【００３６】
仕様の決定では、注文管理サーバ２１は、ホームページを通じて紙箱の形状、規格に関する複数の情報を提示し（Ｓ１１２）、顧客４１は、提示された紙箱の形状、規格に関する複数の情報のうち、いずれかの形状、規格に関する情報を選択する（Ｓ１０２）。次に、注文管理サーバ２１は、ホームページを通じて紙箱の印刷（例えば、デザインモデル、カラー）に関する複数の情報を提示し（Ｓ１１３）、顧客４１は、提示された紙箱の印刷に関する複数の情報のうち、いずれかの印刷に関する情報を選択する（Ｓ１０３）。次に、注文管理サーバ２１は、ホームページを通じて紙箱の個別要素（例えば、名入れ、店舗ロゴ）に関する情報を請求し（Ｓ１１４）、顧客４１は、紙箱の個別要素に関する情報を入力する（Ｓ１０４）。
【００３７】
紙箱の仕様が決定すれば、注文管理サーバ２１は、決定された紙箱の仕様に基づいて、紙箱の仕上がり状態を顧客４１に提示する（Ｓ１１５）。顧客４１は、紙箱の仕上がり状態を確認し（Ｓ１０５）、紙箱の仕様に満足であれば（Ｓ１１６においてＹｅｓ）、発注手続きに移行し（Ｓ１１７）、紙箱の仕様に不満であれば（Ｓ１１６においてＮｏ）、再び仕様の選択（Ｓ１１２）に戻る。そして、顧客４１から発注手続きがあれば（Ｓ１０６）、注文管理サーバ２１は、紙箱の注文を受け付け（Ｓ１１８）、ＣＰＵ２１１は、注文された紙箱の仕様、数量に関する情報を注文書として注文マスタファイル２１９に登録する（Ｓ１１９）。そして、ＣＰＵ２１１は、注文書を通信インターフェイス２１８によりネットワークを通じて製造管理サーバ３１の注文マスタファイル３１９に送信する（Ｓ１２０）。そして、このような注文が繰り返されることにより、製造管理サーバ３１の注文マスタファイル３１９には、複数の注文書が蓄積される。
【００３８】
以上の注文の動作は、ホームページの画面上では次の手順で行われる。
【００３９】
ホームページのトップページ（図８）は、注文管理システムの概要説明を行うように設定されている。注文管理システムの概要説明では、紙箱の形状、規格、デザインモデル、カラー等を選択し、名入れ、店舗ロゴ等の個別要素を入力することで、簡単に個別仕様の紙箱を注文できることを説明する。また、以降の画面での紙箱の仕様の決定や紙箱の発注、支払いの方法などの各種の手続に関する説明が行われる。ここで顧客４１が会員登録を行うようにしてもよい。
【００４０】
注文管理システムを利用する場合には、「次へ」のボタンをクリックして次の画面（図９）に進む。次の画面は、形状、規格情報に関する「形状・規格・数量選択」の画面であり、顧客４１が複数の選択肢の中から、好みの紙箱の形状、規格と発注数量を選択するように設定されている。紙箱の形状としては、例えば、手提げ部付きで横開きタイプの「ＷＤサイドＯＰ１０５」と、手提げ部無しで上開きタイプの「オールマイティＢＯＸ」がいずれかを選択でき、それぞれ、紙箱の規格（寸法）を選択するようになっている。「ＷＤサイドＯＰ１０５」の規格は「１号」「２号」「３号」「４号」の４タイプで、それぞれ発注数量は５ケースとなっている。また、「オールマイティＢＯＸ」の規格は「１号」「２号」「３号」「４号」の４タイプで、それぞれ発注数量は５ケースとなっている。ここでは、「オールマイティＢＯＸ」の「１号」のラジオボタンにチェックが入れられて、選択されたものとする。尚、形状についての選択肢を更に増やしてもよい。
【００４１】
紙箱の形状、規格と発注数量の選択がなされると、「次へ」のボタンをクリックして次の画面（図１０）に進む。次の画面は、印刷情報に関する「デザインモデル選択」の画面であり、顧客４１が複数の選択肢の中から、好みの紙箱の絵柄を選択するように設定されている。紙箱の絵柄は、形状毎に複数設定されており、前の画面で「オールマイティＢＯＸ」が選択されたことから、「オールマイティＢＯＸ」のデザインモデルが複数提示されている。ここではモデルＡからモデルＦまで６種類提示されている。各デザインモデルの上面に付された円形の枠は、後で入力される店舗ロゴ等の個別要素を付すことができる位置を示しており、各デザインモデルの側面に付された四角形の枠は、後で入力される店舗名等の個別要素を付すことができる位置を示している。ここでは、「モデルＡ」のラジオボタンにチェックが入れられて、選択されたものとする。尚、デザインモデルについての選択肢を更に増やしてもよい。尚、前の画面で「ＷＤサイドＯＰ１０５」が選択されたとすると、デザインモデルは、モデルＵからモデルＺまでの６種類提示されるものとする。
【００４２】
紙箱のデザインモデルの選択がなされると、「次へ」のボタンをクリックして次の画面（図１１）に進む。次の画面は、印刷情報に関する「カラー選択」の画面であり、顧客４１が複数の選択肢の中から、好みの紙箱のカラーを選択するように設定されている。紙箱のカラーは、「Ｒｅｄ（赤）」「Ｏｒｅｎｇｅ（オレンジ）」「Ｇｒｅｅｎ（緑）」「Ｂｌｕｅ（青）」「Ｂｒｏｗｎ（茶）」の５色から選択できるように設定されている。尚、ここで選択されるカラーは、絵柄と個別要素のカラーである。つまり、紙箱のデザインモデル（絵柄）と、店舗ロゴ等の個別要素は同色となる。ここでは、「Ｒｅｄ（赤）」のラジオボタンにチェックが入れられて、選択されたものとする。尚、更に多くの色彩を選択できるようにしてもよい。
【００４３】
紙箱のカラーの選択がなされると、「次へ」のボタンをクリックして次の画面（図１２）に進む。次の画面は、個別要素に関する「名入れ入力」の画面であり、名入れ位置（１）（２）（３）に、（１）店舗名（２）店舗住所（３）店舗ＴＥＬ／店舗ＦＡＸ／店舗ＵＲＬなどを入れることができるように設定されている。また、それぞれフォントは「ゴシック」又は「明朝」から選択できるように設定されている。
【００４４】
紙箱の「名入れ入力」がなされると、「次へ」のボタンをクリックして次の画面（図１３）に進む。次の画面は、個別要素に関する「店舗ロゴ挿入選択」の画面であり、各モデルに付された円形の枠に、個別要素である店舗ロゴを付すかどうかを選択できるように設定されている。ここで、「店舗ロゴを挿入する」のラジオボタンにチェックが入れられて、選択されたものとする。
【００４５】
前画面で「店舗ロゴを挿入する」が選択され、「次へ」のボタンをクリックして次の画面（図１４）に進む。次の画面は、「店舗ロゴ取り込み」の画面であり、個別要素である店舗ロゴを取り込めるように設定されている。店舗ロゴは電子データ化されたものであれば取り込むことができる。店舗ロゴの取込方法として、例えば、「ファイルから」、「スキャナーから」、「デジタルカメラから」等の取込方法が設定されている。店舗ロゴデータ及び取り込み方法を指定すると、店舗ロゴデータが取り込まれる。尚、顧客４１が電子メールで店舗ロゴを紙箱メーカー１１に対して送信することで、紙箱に店舗ロゴが取り込まれるように設定してもよい。
【００４６】
紙箱の「店舗ロゴの取り込み」がなされると、「次へ」のボタンをクリックして次の画面（図１５）に進む。次の画面は、「紙箱仕上がり状態確認」の画面であり、これまでに選択した紙箱の形状、規格、デザインモデル、カラー、名入れ内容、店舗ロゴについて、選択した結果を確認するために紙箱仕上がり状態としてまとめて表示する。顧客４１が紙箱の仕上がり状態を確認し、紙箱の仕様に満足であれば、「次へ」のボタンをクリックして、発注手続きに移行し、紙箱の仕様に不満であれば、「戻る」のボタンをクリックして、再び「形状・規格・数量選択」の画面に戻る。顧客４１から発注手続きがあれば、一連の手続きが完了してホームページに確認の画面表示がなされる。
【００４７】
次に、製造管理サーバ３１の動作を説明する。図７は、製造管理システムの動作を示すフローチャートである。製造管理プログラムは、図７のステップＳ２１、Ｓ１３１〜Ｓ１３７からなる。
【００４８】
製造管理サーバ３１のＣＰＵ３１１は、注文管理サーバ２１から送信された複数の注文書を受信し、ＣＰＵ３１１は、受信した複数の注文書を注文マスタファイル３１９に蓄積する（Ｓ１３１）。注文マスタファイル３１９は、例えば、図１６に示すような注文データを記憶している。この例では、「注文Ｎｏ．１は、紙箱の形状はＷＤワイド、規格は４号、数量は５００、デザインモデルはＺ、カラーは青、名入れは有、店舗ロゴは有」などと登録されている。
【００４９】
製造部門では、オペレータが入力装置３１５を用いて、紙寸法指示、製版指示を要求すべく、規格、形状、カラーを入力する（Ｓ１３２）。すると、ＣＰＵ３１１は、注文マスタファイル３１９から規格に関する情報、形状に関する情報、カラーに関する情報が共通する注文群を抽出する。
【００５０】
図１７は、形状は「ＷＤサイド」で、規格は「１号」で、カラーは「赤」の注文群を注出した結果である。プリンタ３１７がこの抽出した結果を印刷して、作業者に対する紙寸法指示と製版指示は以下のようになされる（Ｓ１３３）。
【００５１】
注文Ｎｏ．２と注文Ｎｏ．５の紙寸法指示と製版指示については、形状は共に「ＷＤサイド」で、規格は共に「１号」で、カラーは共に「赤」であるから、１枚の紙、及び、１枚の印刷版に注文Ｎｏ．２と注文Ｎｏ．５の仕様を各１ブランク割り付ける旨の指示となる。
【００５２】
次に、作業者に対する印刷指示がなされる（Ｓ１３４）。印刷指示は、紙寸法指示及び製版指示と同じ規格、形状、カラー情報に基づいて注文群を抽出するため、抽出される結果は、図１７と同様となる。印刷指示は、図１７の結果により、以下のようになされる。
【００５３】
注文Ｎｏ．２と注文Ｎｏ．５の印刷指示については、カラーは共に「赤」であるから、注文Ｎｏ．２と注文Ｎｏ．５の仕様を各１ブランク割り付けた１枚の印刷版を、赤色インキの第１ユニット６２にセットし、第１ユニット６２の赤インキのみ出るようにする旨の指示となり、注文Ｎｏ．２と注文Ｎｏ．５の数量は共に２０００枚であるから、２０００枚の紙に印刷を行う旨の指示となる。
【００５４】
次に、作業者に対するブランク作成指示がなされる（Ｓ１３５）。ブランク作成指示は、紙寸法指示、製版指示及び印刷指示と同じ規格、形状、カラー情報に基づいて注文群を抽出するため、抽出される結果は、図１７と同様となる。ブランク作成指示は、図１７の結果により、以下のようになされる。
【００５５】
注文Ｎｏ．２と注文Ｎｏ．５のブランク作成指示については、形状は共に「ＷＤサイド」で、規格は共に「１号」であるから、形状は「ＷＤサイド」で、規格は「１号」のブランクを２ブランク割り付けた木型を用いて打ち抜きを行う旨の指示となる。
【００５６】
次に、作業者に対する製函指示がなされる（Ｓ１３６）。製函指示は、ブランク作成の指示で抽出されたのと同じ注文群に指示が出されるため、ＣＰＵ３１１により抽出される結果は、図１７と同様となる。製函指示は、図１７の結果により、以下のようになされる。
【００５７】
注文Ｎｏ．２と、注文Ｎｏ．５の製函指示については、形状は共に「ＷＤサイド」で、規格は共に「１号」であるから、形状は「ＷＤサイド」で、規格は「１号」のブランクに合わせてセットされた糊貼り機により、製函する旨の指示となる。
【００５８】
以上の指示により、注文Ｎｏ．２と、注文Ｎｏ．５の紙箱は一括して作業が行われる。複数の注文を蓄積した上で、紙箱の規格に関する情報に基づいて注文群を抽出して、注文群について一括してブランクを作成できる紙寸法の指示と、一括して印刷できる印刷版の製版の指示とを出し、注文群について一括して印刷の指示と、ブランクの作成の指示を出すため、複数の注文毎に行っていた作業を一括して行うことができる。このため、注文毎に仕様の異なる別注品の紙箱であっても製造効率が向上し、製造に要する時間と費用を低減することができる。
【００５９】
また、規格、形状、カラーが共通する注文群を抽出しているため、２つの注文の仕様を１枚の印刷版に付け合せることができ、印刷版の製作作業を低減させることができる。また、１枚の印刷版を印刷機６１に取り付ければよいため、印刷版の交換回数を低減させることができる。特に、印刷版の交換には、長時間を要するため、交換回数を低減させることで印刷機６１の稼働率を向上させ、効率的に紙箱の製造を行うことができる。
【００６０】
次に、紙寸法指示、製版指示を要求すべく、規格と形状のみを入力した場合について説明する。オペレータが入力装置３１５を用いて、規格と形状を入力する（Ｓ１３２）。すると、ＣＰＵ３１１は、注文マスタファイル３１９から規格に関する情報、形状に関する情報が共通する注文群を抽出する。
【００６１】
図１８は、形状は「オールマイティ」で、規格は「４号」の注文群を注出した結果である。プリンタ３１７がこの抽出した結果を印刷して、作業者に対する紙寸法指示と製版指示は以下のようになされる（Ｓ１３３）。
【００６２】
注文Ｎｏ．６と注文Ｎｏ．８の紙寸法指示と製版指示については、形状は共に「オールマイティ」で、規格は共に「４号」であるが、カラーは共通していないため、１枚の紙、及び、１枚の印刷版に注文Ｎｏ．６の仕様を２ブランク割り付ける旨の指示と、１枚の紙、及び、１枚の印刷版に注文Ｎｏ．８の仕様を２ブランク割り付ける旨の指示となる。
【００６３】
次に、作業者に対する印刷指示がなされる（Ｓ１３４）。印刷指示は、紙寸法指示及び製版指示と同じ規格、形状情報に基づいて注文群を抽出するため、抽出される結果は、図１８と同様となる。印刷指示は、図１８の結果により、以下のようになされる。
【００６４】
注文Ｎｏ．６の印刷指示については、カラーは「赤」であるから、注文Ｎｏ．６の仕様を２ブランク割り付けた１枚の印刷版を、赤色インキの第１ユニット６２にセットし、第１ユニット６２の赤インキのみ出るようにする旨の指示となり、注文Ｎｏ．６の数量は１０００枚であるから、５００枚の紙に印刷を行う旨の指示となる。
【００６５】
注文Ｎｏ．８の印刷指示については、カラーは「青」であるから、注文Ｎｏ．８の仕様を２ブランク割り付けた１枚の印刷版を、青色インキの第４ユニット６５にセットし、第４ユニット６５の青インキのみ出るようにする旨の指示となり、注文Ｎｏ．８の数量は１０００枚であるから、５００枚の紙に印刷を行う旨の指示となる。
【００６６】
次に、作業者に対するブランク作成指示がなされる（Ｓ１３５）。ブランク作成指示は、紙寸法指示、製版指示及び印刷指示と同じ規格、形状情報に基づいて注文群を抽出するため、抽出される結果は、図１８と同様となる。ブランク作成指示は、図１８の結果により、以下のようになされる。
【００６７】
注文Ｎｏ．６と注文Ｎｏ．８のブランク作成指示については、形状は共に「オールマイティ」で、規格は共に「４号」であるから、形状は「オールマイティ」で、規格は「４号」の刃を２ブランク割り付けた木型を用いて打ち抜きを行う旨の指示となる。
【００６８】
次に、作業者に対する製函指示がなされる（Ｓ１３６）。製函指示は、ブランク作成の指示で抽出されたのと同じ注文群に指示が出されるため、ＣＰＵ３１１により抽出される結果は、図１８と同様となる。製函指示は、図１８の結果により、以下のようになされる。
【００６９】
注文Ｎｏ．６と、注文Ｎｏ．８の製函指示については、形状は共に「オールマイティ」で、規格は共に「４号」であるから、形状は「オールマイティ」で、規格は「４号」のブランクに合わせてセットされた糊貼り機により、製函する旨の指示となる。
【００７０】
以上により、規格に関する情報と、形状に関する情報が共通する注文群について、一括してブランクを作成できる紙寸法の指示と、一括して印刷できる印刷版の製版の指示とを出すため、共通する紙、及び、印刷版を用いて印刷することができる。また、注文群について、一括して印刷の指示を出し、一括してブランクの作成の指示を出すため、印刷版の共通化、印刷版の交換作業の低減を図ることができる。このため、注文毎に仕様の異なる別注品の紙箱であっても製造効率が向上し、製造に要する時間と費用を低減することができる。
【００７１】
次に、紙寸法指示、製版指示を要求すべく、規格のみを入力した場合について説明する。オペレータが入力装置３１５を用いて、規格と形状を入力する（Ｓ１３２）。すると、ＣＰＵ３１１は、注文マスタファイル３１９から規格に関する情報、形状に関する情報が共通する注文群を抽出する。
【００７２】
図１９は、規格は「４号」の注文群を注出した結果である。プリンタ３１７がこの抽出した結果を印刷して、作業者に対する紙寸法指示と製版指示は以下のようになされる（Ｓ１３３）。
【００７３】
注文Ｎｏ．４と注文Ｎｏ．１１の紙寸法指示と製版指示については、規格は共に「４号」であるが、形状は共通しておらず、カラーも共通していないため、１枚の紙、及び、１枚の印刷版に注文Ｎｏ．４の仕様を２ブランク割り付ける旨の指示と、１枚の紙、及び、１枚の印刷版に注文Ｎｏ．１１の仕様を２ブランク割り付ける旨の指示となる。
【００７４】
次に、作業者に対する印刷指示がなされる（Ｓ１３４）。印刷指示は、紙寸法指示及び製版指示と同じ規格情報に基づいて注文群を抽出するため、抽出される結果は、図１９と同様となる。印刷指示は、図１９の結果により、以下のようになされる。
【００７５】
注文Ｎｏ．４の印刷指示については、カラーは「青」であるから、注文Ｎｏ．４の仕様を２ブランク割り付けた１枚の印刷版を、青色インキの第４ユニット６５にセットし、第４ユニット６５の青インキのみ出るようにする旨の指示となり、注文Ｎｏ．４の数量は５００枚であるから、２５０枚の紙に印刷を行う旨の指示となる。
【００７６】
注文Ｎｏ．１１の印刷指示については、カラーは「赤」であるから、注文Ｎｏ．１１の仕様を２ブランク割り付けた１枚の印刷版を、赤色インキの第１ユニット６２にセットし、第１ユニット６２の赤インキのみ出るようにする旨の指示となり、注文Ｎｏ．１１の数量は５００枚であるから、２５０枚の紙に印刷を行う旨の指示となる。
【００７７】
次に、作業者に対するブランク作成指示がなされる（Ｓ１３５）。ブランク作成指示は、紙寸法指示、製版指示及び印刷指示と同じ規格情報に基づいて注文群を抽出するため、抽出される結果は、図１９と同様となる。ブランク作成指示は、図１９の結果により、以下のようになされる。
【００７８】
注文Ｎｏ．４のブランク作成指示については、形状は「ＷＤサイド」で、規格は「４号」の刃を２ブランク割り付けた木型を用いて打ち抜きを行う旨の指示となる。
【００７９】
注文Ｎｏ．１１のブランク作成指示については、形状は「オールマイティ」で、規格は「４号」の刃を２ブランク割り付けた木型を用いて打ち抜きを行う旨の指示となる。
【００８０】
次に、作業者に対する製函指示がなされる（Ｓ１３６）。製函指示は、ブランク作成の指示で抽出されたのと同じ注文群に指示が出されるため、ＣＰＵ３１１により抽出される結果は、図１９と同様となる。製函指示は、図１９の結果により、以下のようになされる。
【００８１】
注文Ｎｏ．４の製函指示については、形状は「ＷＤサイド」で、規格は「４号」のブランクに合わせてセットされた糊貼り機により、製函する旨の指示となる。
【００８２】
注文Ｎｏ．１１の製函指示については、形状は「オールマイティ」で、規格は「４号」のブランクに合わせてセットされた糊貼り機により、製函する旨の指示となる。
【００８３】
以上より、複数の注文を蓄積した上で、紙箱の規格に関する情報に基づいて注文群を抽出して、注文群について一括してブランクを作成できる紙寸法の指示と、一括して印刷できる印刷版の製版の指示とを出し、注文群について一括して印刷の指示と、ブランクの作成の指示を出すため、複数の注文毎に行っていた作業を一括して行うことができる。このため、注文毎に仕様の異なる別注品の紙箱であっても製造効率が向上し、製造に要する時間と費用を低減することができる。
【００８４】
次に、別注品の紙箱と、在庫生産される既製の紙箱を同時に製造する場合について説明する。別注品の紙箱の形状に関する情報は、在庫生産される既製の紙箱の形状に関する情報と共通する情報であるとし、ブランクの作成の指示を要求すべく、オペレータが入力装置３１５を用いて、形状を入力する（Ｓ１３２）。すると、ＣＰＵ３１１は、注文マスタファイル３１９から形状に関する情報が共通する注文群を抽出する。この注文群には、別注品の紙箱の注文と、在庫生産される既製の紙箱の注文とが含まれており、別注品の紙箱のブランクの作成の指示と、在庫生産される既製の紙箱のブランクの作成の指示とが一括して指示されることとなる。
【００８５】
これにより、別注品の紙箱のブランクを作成する木型は、既製品の紙箱に使用される木型と共通化することができる。このため、木型を新たに作成する必要がなく、既製品と同じ木型を用いてブランクを作成することができるため、コストダウンを図ることができる。また、別注品の紙箱と既製品の紙箱を同時に製造できるため、コストダウンを図ることができる。
【００８６】
次に、作業者に対する製函指示がなされる（Ｓ１３６）。製函指示は、ブランク作成の指示で抽出されたのと同じ注文群に指示が出されるため、製函指示は、別注品の紙箱のブランクの製函の指示と、在庫生産される既製の紙箱のブランクの製函の指示とが一括して指示されることとなる。
【００８７】
このため、別注品の紙箱のブランクを製函する糊貼り機のセッティングは、既製品の紙箱を製函する糊貼り機のセッティングと共通化することができる。このため、別注品の紙箱と既製品の紙箱を同時に製函することで、コストダウンを図ることができる。
【００８８】
以上、本発明の実施の形態について説明したが、本発明は上記実施の形態に限定されるものではなく、様々な変更が可能である。
【００８９】
例えば、別注品の紙箱の注文を蓄積した後、一括して製造する時期は、注文が蓄積されて所定の数量に達したときであってもよく、あるいは、数量に関わらず、所定の注文締め切り日を設定し、締め切り日までの注文を一括して製造するようにしてもよい。いずれの場合であっても、複数の注文毎に行っていた作業を一括して行うことができるため、注文毎に仕様の異なる別注品の紙箱であっても製造効率が向上し、製造に要する時間と費用を低減することができる。
【００９０】
また、紙箱は、ケーキ函の形状を例として説明したが、これに限定されず、ギフト函、貼箱等含む紙箱全般を対象とする。尚、貼箱は、ブランクが打ち抜かれ、製函した後に、印刷した薄紙や加工紙でブランクを包み込むように貼る工程を経て作成される紙箱である。
【００９１】
以上説明した本発明の技術的範囲は、上記の実施例に限定されるものではなく、上記実施例の形状に限定されない。本発明の技術的範囲は、本明細書及び図面に記載した事項から明らかになる本発明が真に意図する技術的思想の範囲全体に、広く及ぶものである。
【符号の説明】
【００９２】
１１        紙箱メーカー
２１        注文管理サーバ
２１１      ＣＰＵ
２１２      ＲＯＭ
２１３      ＲＡＭ
２１４      ＨＤ
２１５      入力装置
２１６      ディスプレイ
２１７      プリンタ
２１８      通信インターフェイス
２１９      注文マスタファイル
３１        製造管理サーバ
３１１      ＣＰＵ
３１２      ＲＯＭ
３１３      ＲＡＭ
３１４      ＨＤ
３１５      入力装置
３１６      ディスプレイ
３１７      プリンタ
３１８      通信インターフェイス
３１９      注文マスタファイル
４１        顧客
４２        パソコン
５１        インターネット
６１        印刷機
６２        第１ユニット
６３        第２ユニット
６４        第３ユニット
６５        第４ユニット
６６        第５ユニット
【図１】
2010191837.tif 000003
【図２】
2010191837.tif 000004
【図３】
2010191837.tif 000005
【図４】
2010191837.tif 000006
【図５】
2010191837.tif 000007
【図６】
2010191837.tif 000008
【図７】
2010191837.tif 000009
【図８】
2010191837.tif 000010
【図９】
2010191837.tif 000011
【図１０】
2010191837.tif 000012
【図１１】
2010191837.tif 000013
【図１２】
2010191837.tif 000014
【図１３】
2010191837.tif 000015
【図１４】
2010191837.tif 000016
【図１５】
2010191837.tif 000017
【図１６】
2010191837.tif 000018
【図１７】
2010191837.tif 000019
【図１８】
2010191837.tif 000020
【図１９】
2010191837.tif 000021